(57)【要約】【課題】  使用者は音楽をセット若しくは選曲するだけで適するマッサージコースを選択、生成するマッサージ機を提供する。【解決手段】  複数のマッサージを組み合わせてコースとしたマッサージコースを複数用意し、選択された曲及び／又は映像に基づき当該複数のマッサージコースの中から少なくとも１つのマッサージコースを選択し曲及び／又は映像を再生しながら実行するので、使用者が曲及び／又は映像を選択することで使用者が自らマッサージコースを選択しなくとも曲及び／又は映像に応じたマッサージコースが迅速に自動的に選択され、マッサージを受けたい疲れた使用者等が思考することなくリラックスした状態でマッサージを受けることができると共に、選択後マッサージコースが自動スタートすることで使用者は曲及び／又は映像選択で迅速にマッサージを受けることができる。【選択図】  図１
2005130883.tif 000002
【特許請求の範囲】
【請求項１】
少なくとも１つの施療手段を用いてマッサージを実行するマッサージ機において、
当該施療手段を用いて行う複数のマッサージを組み合わせてコースとしたマッサージコースを複数用意し、
選択された曲及び／又は映像に基づき当該複数のマッサージコースの中から少なくとも１つのマッサージコースを選択し曲及び／又は映像を再生しながら実行することを
特徴とするマッサージ機。
【請求項２】
少なくとも１つの施療手段を用いてマッサージを実行するマッサージ機において、
選択された曲及び／又は映像に基づき施療手段を用いて行う複数のマッサージを組み合わせてマッサージコースを生成し曲及び／又は映像を再生しながら実行することを
特徴とするマッサージ機。
【請求項３】
少なくとも１つの施療手段を用いてマッサージを実行するマッサージ機において、
選択された曲及び／又は映像に基づき施療手段を用いて行う複数のマッサージ中からマッサージを選択して随時実行すると共に曲及び／又は映像を再生することを
特徴とするマッサージ機。
【請求項４】
前記請求項１ないし３に記載のマッサージ機において、
曲及び／又は映像を再生し始めて暫くしてマッサージを実行することを
特徴とするマッサージ機。
【請求項５】
前記請求項１ないし３に記載のマッサージ機において、
マッサージを実行し始めて暫くして曲及び／又は映像を再生することを
特徴とするマッサージ機。
【請求項６】
前記請求項１ないし５に記載のマッサージ機において、
使用者の要求に応じて選択されたマッサージコースを前記本マッサージ機により選択されたマッサージコースよりも優先して実行することを
特徴とするマッサージ機。
【請求項７】
前記請求項１ないし５に記載のマッサージ機において、
前記本マッサージ機により選択されたマッサージコースを使用者の要求に応じて選択されたマッサージコースよりも優先して実行することを
特徴とするマッサージ機。
【発明の詳細な説明】
【技術分野】
【０００１】
本発明の技術分野は、施療手段を用いてマッサージを実行するマッサージ機に関し、特に、音声、映像、音声付映像に基づきマッサージを実行するマッサージ機に関する。
【背景技術】
【０００２】
背景技術は、既に販売されているマッサージ機に、ＣＤ−ＲＯＭの音楽、特に音の高低、大小、リズム及びメロディの抑揚に基づきマッサージをするものがあり、詳細には、高音域が施療手段の１つであるもみ玉を用いて「たたき」「背バイブ」のマッサージ、中音域が施療手段の１つであるエアセルを用いて「脚バイブ」のマッサージ、及び、低音域がエアセルを用いて「座面バイブ」のマッサージを連動させて実行する構成である。動作は、使用者が好きな音楽ＣＤをＣＤ−ＲＯＭドライブにセットし、リモコンの電源ボタンを押下する。さらに、リモコン上の音楽に基づき動作するためのボタン群のうち開始ボタンを押下することで、指圧位置の検索後、音楽が再生されながらマッサージが実行される。音楽の再生音量や、マッサージの強さは補助リモコンで調整でき、停止する場合にはリモコンの停止ボタンを押下することで動作が停止する。
【０００３】
この背景技術によれば、再生されている音楽の音の高低、大小、リズム及びメロディの抑揚に合わせて、特定のマッサージが対応して実行されているので、使用者はメロディと同調したマッサージを受けることができ、施療手段の動きに意識を向けさせより高いマッサージ効果を得ることができると共に、心身のリラクゼーションにも効果を発揮する。
【０００４】
このような音楽に合わせて動作する装置は、他にもあり、例えば、特開２００２−３６６１７３号公報に開示される感性データ算出装置が該当する。この感性データ算出装置は、分割された周波数帯域ごとの音圧値として音を表現したデジタルデータを入力し、前記周波数帯域ごとの音圧値の分布を解析することにより、前記音に関連する感性データを算出し、感性データに基づいてビジュアルコンテンツを生成するものである。このような感性データ算出装置によれば、入力される音に関連する感性のデータを自動的に算出することができ、いちいち人が判断してその判断結果を入力しなくとも、ビジュアルコンテンツを生成することができる。
【特許文献１】特開２００２−３６６１７３号公報
【発明の開示】
【発明が解決しようとする課題】
【０００５】
前記背景技術のマッサージ機は以上のように構成され、再生されている音楽の音の高低、大小、リズム及びメロディの抑揚に合わせてマッサージが対応して実行することができるものの、実行されるマッサージコースは１つであって、この１つのマッサージコース内のマッサージが音楽の音の高低、大小、リズム及びメロディの抑揚に基づき変化するだけであり、異なる楽曲をセットして動作させても動作の違いは微小であって使用者がすぐに飽きを感じてしまうという課題を有する。たしかに、音楽の音の高低、大小、リズム及びメロディのまったく異なる楽曲をセットして動作させれば、動作の違いは少しは改善されると考えられるが、通常音楽ＣＤに入っている楽曲は似ていることが多く、さらに、使用者が好む楽曲も一般的に偏りがあるため、結局のところ課題を解決するまでには至らない。
【０００６】
また、前記背景技術のマッサージ機にない機能であるが、既にマッサージ機が用意している複数のマッサージコースの中から１つのマッサージコースを使用者が選択して、この選択したマッサージコースが再生される音楽に基づき実行されるとしても、使用者は音楽を選曲する上にさらに、マッサージコースをも複数の過程を経て選択しなければならず、円滑且つ迅速にマッサージを受けることができないという課題を有する。さらに、せっかく選択したマッサージコースがあまりにも選曲した楽曲と合わないという事態も発生し、この場合には折角のマッサージを受けて気分を害するという可能性もある。
【０００７】
そこで、本発明は前記課題を解決するためになされたもので、使用者は音楽をセット若しくは選曲するだけで適するマッサージコースを選択、生成するマッサージ機を提供することを目的とする。
【課題を解決するための手段】
【０００８】
本発明に係るマッサージ機は、少なくとも１つの施療手段を用いてマッサージを実行するマッサージ機において、当該施療手段を用いて行う複数のマッサージを組み合わせてコースとしたマッサージコースを複数用意し、選択された曲及び／又は映像に基づき当該複数のマッサージコースの中から少なくとも１つのマッサージコースを選択し曲及び／又は映像を再生しながら実行するものである。このように本発明においては、複数のマッサージを組み合わせてコースとしたマッサージコースを複数用意し、選択された曲及び／又は映像に基づき当該複数のマッサージコースの中から少なくとも１つのマッサージコースを選択し曲及び／又は映像を再生しながら実行するので、使用者が曲及び／又は映像を選択することで使用者が自らマッサージコースを選択しなくとも曲及び／又は映像に応じたマッサージコースが迅速に自動的に選択され、マッサージを受けたい疲れた使用者等が思考することなくリラックスした状態でマッサージを受けることができると共に、選択後マッサージコースが自動スタートすることで使用者は曲及び／又は映像選択で迅速にマッサージを受けることができる。施療手段としては、摩擦を利用するもの、吸引を利用するもの、噴出を利用するもの、もみをするもの、ローラマッサージをするもの、圧迫するものがあるが、例えば、もみをするものとしてはもみ玉があり、圧迫するものとしてはエアセルがる。他にも電気の力を利用する低周波治療器のパッドがある。他にも、マッサージコースを複数用意することができるあらゆるマッサージが対象となる。イス式マッサージ機でもよいし、ベッド式マッサージ機、マット式マッサージ機でもよい。
【０００９】
本発明に係るマッサージ機は、少なくとも１つの施療手段を用いてマッサージを実行するマッサージ機において、選択された曲及び／又は映像に基づき施療手段を用いて行う複数のマッサージを組み合わせてマッサージコースを生成し曲及び／又は映像を再生しながら実行するものである。このように本発明においては、選択された曲及び／又は映像に基づき施療手段を用いて行う複数のマッサージを組み合わせてマッサージコースを生成し曲及び／又は映像を再生しながら実行するので、使用者が曲及び／又は映像を選択することで使用者が自らマッサージコースを選択しなくとも曲及び／又は映像に応じたマッサージコースが自動的に生成され、マッサージを受けたい疲れた使用者等が思考することなくリラックスした状態でマッサージを受けることができると共に、より選択した曲及び／又は映像の細かい変化にも対応したマッサージを使用者に提供することができ、マッサージと音楽とがより同調したサービスを行うことで著しいマッサージ効果を発揮することができる。
【００１０】
本発明に係るマッサージ機は、少なくとも１つの施療手段を用いてマッサージを実行するマッサージ機において、選択された曲及び／又は映像に基づき施療手段を用いて行う複数のマッサージ中からマッサージを選択して随時実行すると共に曲及び／又は映像を再生するものである。このように本発明においては、選択された曲及び／又は映像に基づき施療手段を用いて行う複数のマッサージ中からマッサージを選択して随時実行すると共に曲及び／又は映像を再生するので、実行するときまでにマッサージが選択されていればよく、マッサージが開始されるまでにマッサージコース全工程のマッサージが選択していなくてもよいこととなり、マッサージを開始するまでの処理を大幅に低減化することができ、マッサージ開始までの時間を著しく短縮することで迅速にマッサージを提供することができる。
【００１１】
また、本発明に係るマッサージ機は必要に応じて、曲及び／又は映像を再生し始めて暫くしてマッサージを実行するものである。このように本発明においては、曲及び／又は映像を再生し始めて暫くしてマッサージを実行するので、使用者がマッサージコースの実行前に楽曲の確認ができると共に、マッサージを受ける前に音楽を聞くことにより精神的にリラックスしこのリラックスした状態でマッサージを受けることによりマッサージの効果もよくなる。
【００１２】
また、本発明に係るマッサージ機は必要に応じて、マッサージを実行し始めて暫くして曲及び／又は映像を再生するものである。このように本発明においては、マッサージを実行し始めて暫くして曲及び／又は映像を再生するので、速やかにマッサージを受け付随して音楽を聴くことができ、さらに、現在受けているマッサージが気に入らなければ、曲調の異なる楽曲を選択することで他のマッサージコースを選ぶことができる。
【００１３】
また、本発明に係るマッサージ機は必要に応じて、使用者の要求に応じて選択（通常選択）されたマッサージコースを前記本マッサージ機により選択（自動選択）されたマッサージコースよりも優先して実行するものである。このように本発明においては、使用者の要求に応じて選択されたマッサージコースを前記本マッサージ機により選択されたマッサージコースよりも優先して実行するので、使用者が自動選択により実行しているマッサージ中に使用者が通常選択をしたとき通常選択にしたがってマッサージが行われ、使用者が通常選択により実行しているマッサージ中に使用者が自動選択をしてもそのまま通常選択のマッサージが継続して実行されるので、使用者が受けたいマッサージを自己から決めることができ、集中的にある患部をマッサージしてもらいたいときなど具体的にマッサージコースを使用者が想定している場合には有用である。
【００１４】
また、本発明に係るマッサージ機は必要に応じて、前記本マッサージ機により選択（自動選択）されたマッサージコースを使用者の要求に応じて選択（通常選択）されたマッサージコースよりも優先して実行するものである。このように本発明においては、前記本マッサージ機により選択されたマッサージコースを使用者の要求に応じて選択されたマッサージコースよりも優先して実行するので、使用者が通常選択により実行しているマッサージ中に使用者が自動選択をしたとき自動選択に従ってマッサージが行われ、使用者が自動選択により実行しているマッサージ中に使用者が通常選択をしてもそのまま自動選択のマッサージが継続して実行されるので、常時再生される楽曲と実行されるマッサージが同調して高いマッサージ効果を使用者に与えることができる。
【発明を実施するための最良の形態】
【００１５】
（本発明の第１の実施形態）
本発明の第１の実施形態に係るマッサージ機を図に基づき説明する。図１は本実施形態に係るマッサージ機の特徴的構成要素の構成ブロック図、図２は本実施形態に係るマッサージ機の全体外観斜視図、図３は本実施形態に係るマッサージ機の側面図、図４は本実施形態に係るマッサージ機のリモコンの平面図、図５は本実施形態に係るマッサージ機のテーブル態様図、図６ないし図８は本実施形態に係るマッサージ機のマッサージコースデータの図表、図９は本実施形態に係るマッサージ機の動作開始終了の比較図、図１０は本実施形態に係るマッサージ機の動作フローチャートである。
【００１６】
本実施形態に係るマッサージ機の特徴的構成要素は、マッサージ機の基本的構成要素は別にして、音楽ＣＤ−ＲＯＭを読み込むＣＤ−ＲＯＭドライブ１と、このＣＤ−ＲＯＭドライブ１に指示を出し読み込んだ音楽データを出力する音楽データ読込部２と、この音楽データ読込部２から出力された音楽データに基づき感性データを生成して出力する感性データ生成部３と、この感性データ生成部３が出力した感性データに基づき本マッサージ機に用意されている複数のマッサージコースからマッサージコースを選択するマッサージコース選択部４と、このマッサージコース選択部４が選択したマッサージコースを実行するマッサージコース実行部５と、前記音楽データ読込部２から出力された音楽データを再生する音楽データ再生部６とを備え、マッサージコース実行部５がマッサージコースを実行するときに音楽データ再生部６に音楽データの再生を指示する構成である。図１の一点鎖線は、本マッサージ機の特徴的構成要素の物理的構成を示し、ＣＤ−ＲＯＭドライブ１、ＣＰＵ１０、メインメモリ１１及びＲＯＭ１２からなり、この内ＣＰＵ１０、メインメモリ１１及びＲＯＭ１２を基盤に一体形成することができる。但し、この物理的構成は、理解容易のための例示に過ぎない。
【００１７】
前記マッサージ機の基本的構成要素は、本実施形態においては、イス式マッサージ機を用いるとして、使用者の背中を支持する背もたれ部２１と、この背もたれ部２１下端と接し使用者の臀部を支持する座部２２と、使用者の肘を支持する肘置き２３と、座部２２の先端下側に枢設され使用者の足が載置されるフットレスト２４と、背もたれ２１部の内部にもみ玉５１及びもみ玉５１を動作させるもみ玉機構を有するメカユニット２５とを備える構成である。さらに、前記ＣＰＵ１０、メインメモリ１１及びＲＯＭ１２を一体形成した基板と、ＣＤ−ＲＯＭドライブ１とが内設されている制御ボックス３２が肘置き２３に隣接して配設されている。
【００１８】
前記音楽データは、音楽ＣＤ用の音楽データであるが、他に、ＭＰ３（MPEG1 Layer3）形式のデータ、ＭＩＤＩ（Musical Instrument Digital Interface）規格の形式のデータ等のあらゆる音を記録するためのデータ形式のデータが該当する。また、音声付動画データから音声のみ抽出したものであってもよい。
【００１９】
前記ＣＤ−ＲＯＭドライブ１は、音楽ＣＤ以外の、ＭＰ３のデータ、ＭＩＤＩデータを記憶したＣＤ−ＲＯＭを読み込むものであってもよい。さらに、ここでのＣＤ−ＲＯＭは、説明容易のために例示したものであって、前記音楽データを読み可能なものであれば、ＣＤ−Ｒドライブ、ＣＤ−ＲＷドライブ、ＤＶＤ−ＲＯＭドライブ、ＤＶＤ−ＲＷドライブ、ＤＶＤ−ＲＡＭドライブ等の読込装置であってもよい。これらデータの読込装置以外に、マイク等のアナログデータを読込装置と、Ａ／Ｄ変換素子とで代替することもできる。また、本実施形態に係るマッサージにおいては、読込装置を備えたものとしたが、外部に、例えば、コンポ（図示しない）を用意しこのコンポと接続して音楽データを読み込む構成とすることもできる。この場合には、マッサージ機と、読込装置との分離が図れ、故障率の比較的高い音楽データ読取装置が別体となることでマッサージ機全体の故障率が著しく改善される。
【００２０】
前記音楽データ読込部２は、ＣＤ−ＲＯＭドライブ１に指示して音楽データを出力するのであるが、この音楽データ読込部２が動作するトリガとなるものには、使用者がＣＤ−ＲＯＭがセットされることに生じる外部割込、使用者がリモコン２８を操作することにより生じる外部割込がある。すなわち、使用者がＣＤ−ＲＯＭドライブ１のスロットに音楽ＣＤをセットすることで、音楽データ読込部２に外部割込が出力され、この外部割込に対して例えば、音楽ＣＤ上の楽章番号、インデックス等のヘッダ情報だけを読み込みリモコン２８等の表示部分に総楽曲数と総再生時間を表示する。他には、外部割込の出力と共にそのまま音楽データを読み出させ出力することもできる。ただし、この場合には、使用者が楽曲を選択しているわけではないので、一番最初の楽曲を読み出すか、ランダムに楽曲を読み出すか、メモリ機能によって前々から最初に読み出すように設定されている楽曲を読み出す等が考えられる。通常であれば、前記したリモコン２８等の表示部分に総楽曲数と総再生時間を表示された状態で、音楽データ読込部２も待ち状態となって、使用者のリモコン２８からの入力を持ち、リモコン２８からある楽曲が選択された場合に、かかる楽曲をＣＤ−ＲＯＭ上から読み出す。
【００２１】
前記感性データ生成部３は、音楽データ読込部２から出力された音楽データに基づき感性データを生成してマッサージ選択部４に出力する。ここでの音楽データに基づく感性データの生成方法は、公知技術のものを用いることができる。例えば、前記した特開２００２−３６６１７３号公報の感性データ算出装置の機能を用いることで実現できる。他には、音楽データに基づき感情データを生成するものとしては、ファジィ制御を用いた音声における情緒性評価法（電子情報通信学会論文誌 Vol.J82-D-II, No.10, pp.1710-1720, October 1999）、音声における感情情報の計測と Cyber Shopping への応用（電子情報通信学会 知能情報メディアシンポジウム, S1--1, December 1997.）等の多種の方法が提案されている。また、音響物理測定値と対応がわかっている用語である音質表現用語を用いても音声データの感性を判別することができ、数値化も当然にできる。感性データは、感性データの生成方法に依存するが、特開２００２−３６６１７３号公報によれば、「無表情」、「快感」、「驚き」、「怯え」、「嬉しい」、「悲しい」のデータ構成要素があって、具体的には、これらデータ構成要素にそれぞれ値を付与する構成となっている。ある曲を対象とした場合の感性データを例示すると、（「無表情」＝１、「快感」＝５、「驚き」＝３、「怯え」＝１、「嬉しい」＝２、「悲しい」＝０）となる。
【００２２】
すなわち、この例示した感性データは、ある曲の一曲全てに基づき感性データ生成部３が生成したものであり、この曲の全体を通して快感の要素が強い曲であることが分かる。本マッサージ機の用意されたコースは３種類あり、やすらぎを与えるためのやすらぎコース、リフレッシュを図るためのリフレッシュコース、しっかりするためのしっかりコースがある。「嬉しい」の値がもっとも大きい場合にはやすらぎコース、「快感」の値がもっとも大きい場合にはリフレッシュコース、「驚き」の値がもっとも大きい場合にはしっかりコースをマッサージコース選択部が選択するとそのまま前記感性データ算出装置を用いることができる。
【００２３】
本実施形態に係るマッサージ機においては、別の方法を取るとして、感性データのデータ構成要素として、「やすらぎ」、「リフレッシュ」、「しっかり」とし、感性データ生成部は、音楽データ中の音のもっとも大きなピーク部分の周波数変化と時間との関係、並びに、音楽データ中の音のテンポを抽出する。ピーク部分の周波数変化が緩やかに移行し、且つ、テンポが遅い部分があった場合には、「やすらぎ」の値を１インクリメントとする。ピーク部分の周波数変化が短時間で移行し、且つ、テンポが速い部分があった場合には、「リフレッシュ」の値を１インクリメントとする。
【００２４】
ピーク部分の周波数変化が緩やかでも短時間でもなく移行し、且つ、テンポが遅くも早くもない部分があった場合には、「しっかり」の値を１インクリメントとする。ここで、やすらぎコース、リフレッシュコース、しっかりコース以外のマッサージコースを設けてもよいし、やすらぎコース、リフレッシュコース及びしっかりコース（以下、コース種別とする）にそれぞれ複数のマッサージコースが割り当ててあり、コース種別が決定された後に、割り当てているマッサージコースからランダムにマッサージコースが選択されるようにすることもできる。
【００２５】
また、複数のマッサージコースが割り当てている場合に、やすらぎコース、リフレッシュコース又はしっかりコースのそれぞれの中で例えば度合い順等の順序を付けておき、この順序及び感性データに基づき選択することもでき、この場合コース種別が感性データに基づき選択され、さらに、選択されたコース種別の複数のマッサージコースから感性データに基づき選択されており、入力された感性データが２以上のコース種別のどちらにも選択できる場合においてコース種別の選択後にマッサージコースが更に感性データにより選択されることで、コース種別の判断が不明確なときでもコース種別のマッサージコースの選択が重畳してなされ、より適切なマッサージコースが選択される。
【００２６】
前記マッサージコース選択部４が、感性データ生成部３が出力した感性データに基づき本マッサージ機に用意されている複数のマッサージコースからマッサージコースを選択する。複数のマッサージコースは、ここで用意しているマッサージコースは、前記したが、やすらぎコース、リフレッシュコース及びしっかりコースである。それぞれのマッサージコースの特徴としては、施療手段としてもみ玉５１を用い、やすらぎコースが強さが弱く、速度もゆっくりでローリングのマッサージが多く、リフレッシュコースが強さが普通で速度が速くたたきのマッサージが多く、しっかりコースが強さが比較的強く設定され、速度も速くもみのマッサージが多いことである。マッサージコース選択部は、感性データのデータ構成要素である「やすらぎ」、「リフレッシュ」及び「しっかり」の中で一番値の高いデータ構成要素を選択し、図５（ａ）に示す感性データ・マッサージコース変換テーブルを参照してこのデータ構成要素に対応したマッサージコース識別番号を読み出し、マッサージコース実行部５に出力する。感性データのデータ構成要素の値の最大のデータ構成要素が２以上あった場合に、どちらか一方を一番値の高いデータ構成要素として選択する。
【００２７】
前記マッサージコース実行部５が、マッサージコース選択部４から出力されたマッサージコース識別番号に対応したマッサージコースデータをマッサージコースデータテーブル８から読み出し、かかるマッサージコースデータに基づきマッサージを実行する。図５（ｂ）に示すマッサージコースデータテーブル８を利用する。ここで、図中マッサージコースデータ部分が「＊」で示されているが、これは制御情報であり文字化できなかったためである。このため、マッサージコースデータを表現するために図表したものが、図６、図７、図８である。図６がやすらぎコースのマッサージデータを図表化したものであり、図７がリフレッシュコースのマッサージコースデータを図表化したものであり、図８がしっかりコースのマッサージコースデータを図表化したものである。
【００２８】
マッサージコース実行部５が、マッサージデータに基づき、制御信号を出力してメカユニット２５又はエアポンプ３１を動作させ、メカユニット２５のもみ玉５１によるメカマッサージと、背中用エアセル２９a、腰用エアセル２９ｂ、臀部用エアセル２９ｃ、太腿用エアセル２９ｄ並びに脚用エアセル３０、３０a、３０ｂ、３０ｃ及び３０ｄの各種エアセルによるエアセルマッサージを実行している。マッサージコース実行部５がマッサージコースを実行するときに音楽データ再生部６に音楽データの再生を指示する。
【００２９】
再生の指示は、単にマッサージの実行と、音楽データの再生の開始を図９（ａ）のように合わせるためである。図９（ａ）は、マッサージコースの実行と音楽データの再生が始まりも終わりも一致していることを示す。この場合には、マッサージの開始と音楽の開始とが一致しており、音楽を聞くことでマッサージが開始されるのが使用者がわかり、逆に、マッサージを受けることにより音楽が開始されることがわかる。
【００３０】
これとは別に、図９（ｂ）ないし（ｅ）のようなマッサージコースの実行と音楽データの再生の始まりと終わりとの関係で制御することもできる。図９（ｂ）に示すように、音楽データの再生がまず始まり、暫くしてマッサージコースの実行が始まる。この場合には、使用者がマッサージコースの実行前に楽曲の確認ができると共に、マッサージを受ける前に音楽を聞くことにより精神的にリラックスしこのリラックスした状態でマッサージを受けることによりマッサージの効果もよくなる。
【００３１】
図９（ｃ）に示すように、図９（ｂ）とは逆に、マッサージコースの実行がまず始まり、暫くして音楽データの再生が始まる。この場合には、速やかにマッサージを受け付随して音楽を聴くことができる。また、現在受けているマッサージが気に入らなければ、曲調の異なる楽曲を選択することで他のマッサージコースを選ぶことができる。図９（ｄ）に示すように、マッサージコースの実行が始めに終わり、暫くして音楽データの再生が終わる。この場合には、マッサージを受け揉み解された状態で使用者が余韻を感じながら楽曲を聴くことができ、マッサージと楽曲が相乗した強い効果から徐々に効果が弱まっていき精神的に安定した状態にフェードアウトすることができる。
【００３２】
図９（ｅ）に示すように、音楽データの再生が始めに終わり、暫くしてマッサージコースの実行が終わる。この場合には、自己で選んだ楽曲を聞き満足した状態で使用者が余韻を感じながらマッサージを受けることができ、楽曲とマッサージが相乗した強い効果から徐々に効果が弱まっていき精神的に安定した状態にフェードアウトすることができる。なお、ここでは、マッサージコース実行部５が同期信号を出力して音楽データ再生部６に音楽データを再生するタイミングを図っているが、逆に、音楽データ再生部６が同期信号を出力してマッサージコース実行部５にマッサージコースを実行するタイミングを図ってもよく、さらには、マッサージコース実行部５及び音楽データ再生部６以外の別の構成要素が同期を取るようにしてもよい。
【００３３】
楽曲の再生時間とマッサージコースのマッサージの実行時間とは同一であることの方が珍しく、マッサージコースのマッサージの実行時間が大体１５［分］程度であるのに対し、１曲の楽曲の再生時間は曲種にもよるがポップの場合大体３ないし６［分］程度でありずれが生じてくるが、このような短い楽曲の場合にはリピートして再生することで対応することができる。また、前記メモリ機能により複数の楽曲を予め選択しておき再生することも、自動で複数の楽曲を選択したり、１曲は使用者が選択し足りない時間の楽曲選択を自動選択にすることもできる。このように複数の楽曲が選択される場合には、これらの楽曲全体の感性データに基づきマッサージコースが選択されるようにしてもよいし、使用者が選択した楽曲のみの感性データに基づきマッサージコースを選択してもよい。
【００３４】
自動選択の場合に複数の楽曲を選択するとき、類似する楽曲を選択することがマッサージコースを選択することで望ましい。類似する楽曲を選択するためには、各楽曲がどのような感じの曲であるかを楽曲選択前に知っている必要があるが、これは感性データを用いることができる。但し、楽曲毎に１曲全ての感性データを生成することが望ましいが、楽曲選択の場面であるので、応答時間を考えて部分的に感性データを生成してもよい。
【００３５】
部分的な感性データを生成することは、通常で感性データ生成部３が感性データを生成する場合にも適用することができ、同様に応答時間を高速にすることができる。一方、マッサージの連続してできる実行時間は決まっており、クラシック等の曲の場合には実行時間を超える場合もあるが、前記図９（ｄ）により対応可能である。この実行時間の制限は規制によりよるものであり小休止を入れることで再びマッサージを再開することができるので、小休止中に楽曲を再生することはできる。
【００３６】
前記ＣＰＵ１０内の論理的構成要素である音楽データ読込部２、感性データ生成部３、マッサージコース選択部４、マッサージコース実行部５、曲データ再生部６は、入力信号をＣＰＵ１０の外部端子から内部バスを介して入力され、出力信号を内部バスを介してＣＰＵ１０の外部端子から出力する。
【００３７】
前記背もたれ部２１は、リクライニングでき、使用者との接触面の両端側に図示しないクッション材を配設することもでき、着座して背もたれ部２１にもたれると使用者の背中が背もたれ部２１の中心に位置するようになっている。また、背もたれ部２１の上方部にスピーカ２１ａが内蔵されている（オーディオケーブルは図示しない）。図には、一般的な体格の人に合わせてスピーカ２１ａを配置させているが、複数のスピーカを他の位置に設けてもよく、また、使用者の体格に合わせてスピーカの指向性を変更してもよい。さらには、スピーカ２１ａから出力される音に連動して振動するように構成してもよい。
【００３８】
前記肘置き２３は、座部２２の両側に位置しベース２６と接合し、背もたれ部２１がリクライニングし、座部２２が傾動しても使用者の前腕を安定的に支持するように形成している。前記フットレスト２４は、座部２２の前端側に位置し、使用者の患部面方向に傾動する。
【００３９】
前記メカユニット２５は、もみ玉５１及びもみ玉５１を動作させるもみ玉機構を有し傾動可能な傾動部５２と、この傾動部５２を傾動可能な状態で支持するベース５３とからなる。このベース５３にはメカユニット５が昇降するための昇降軸５４が配設され、この昇降軸５４の両端にローラ５５ａ、５５ｂがそれぞれ設けられている。ベース５３のローラ５５ａ、５５ｂの上部位置にさらにローラ５５ｃ、５５ｄが設けられている。このローラ５５ａ、５５ｂ、５５ｃ、５５ｄが挿嵌されるガイドレール２７が両端を背もたれ部１に固定することで配設されている。このガイドレール２７は、断面凹状の一対で背もたれ部１に沿った形状をしている。
【００４０】
本マッサージ機は、メカユニット２５のもみ玉５１によるメカマッサージと、背中用エアセル２９a、腰用エアセル２９ｂ、臀部用エアセル２９ｃ、太腿用エアセル２９ｄ並びに脚用エアセル３０、３０a、３０ｂ、３０ｃ及び３０ｄの各種エアセルによるエアセルマッサージとを提供する。メカマッサージは、例えば、もみモータを正回転させながらメカユニット２５を上昇させていくもみ上げ、もみモータ逆回転させながらメカユニット２５を下降させていくもみ下げ、たたきモータを正回転させるたたき、もみ下げながらたたくさざなみ、一箇所を押圧する指圧、強よりさらに強い位置でのもみ上げである深もみ上げ、弱よりもさらに弱い位置でのもみ下げであるさすり、指圧したままローリングして下から上へほぐすストレッチ、背中全体をローリングする全体背筋のばし、狭い範囲を集中的にローリングする部分背筋のばし等のもみ玉５１によるマッサージである。エアセルマッサージは、背中用エアセル２９ａ、腰用エアセル２９ｂ、臀部用エアセル２９ｃ及び太腿用エアセル２９ｄにエアポンプ３１によりエアを供給し膨張させ接触する使用者の患部周辺の自重とで患部を押し上げるマッサージと、２つの脚用エアセル３０が一組となってエアを供給され膨張し使用者の患部を挟むマッサージとからなる。
【００４１】
リモコン２８を介して本マッサージ機に使用者が指示し、指示に従いこのメカマッサージ及びエアセルマッサージを本マッサージ機が提供する。リモコン２８によって使用者若しくは使用者は、前記したもみ上げ、もみ下げ、背中用エアセル２９ａのような一つのマッサージ毎に強さ、速さ、時間を指定し、若しくは、動作中に指定変更しながらマッサージを指示することもできる。なお、図４に示すリモコン２８には、開閉可能な蓋が配設してあり、蓋を閉じた状態が図４（ａ）であり、蓋を開いた状態が図４（ｂ）となる。また、メカマッサージのみからなるコースをメカコースと呼び、エアセルマッサージのみからなるコースをエアコースと呼ぶ。リモコン２８の表示画面２８aに背もたれ部２１、座部２２及びフットレスト２４の位置を示すこともできる。
【００４２】
本実施形態のマッサージ機においては使用者は楽曲を選択するだけでマッサージコースが自動的に選択されるようになっているがこのタイプの使用方法を自動選択とする。使用者がリモコン８を介してマッサージコースを選択するタイプの使用方法を通常選択とする。自動選択の場合の流れは既に説明済みであるが、通常選択の場合には、入力信号がＣＰＵ１０の外部端子から入力され、マッサージコース実行部５がこれを受けてマッサージデータテーブルからマッサージコースデータを読み出し実行する。自動選択も通常選択もどちらも優劣がないのが通常であるが、一方を優先して動作させることもできる。
【００４３】
すなわち、自動選択が優先される場合には、使用者が通常選択により実行しているマッサージ中に使用者が自動選択をしたとき自動選択に従ってマッサージが行われ、使用者が自動選択により実行しているマッサージ中に使用者が通常選択をしてもそのまま自動選択のマッサージが継続して実行される。この場合には、常時再生される楽曲と実行されるマッサージが同調して高いマッサージ効果を使用者に与えることができる。他方、通常選択が優先される場合には、使用者が自動選択により実行しているマッサージ中に使用者が通常選択をしたとき通常選択にしたがってマッサージが行われ、使用者が通常選択により実行しているマッサージ中に使用者が自動選択をしてもそのまま通常選択のマッサージが継続して実行される。
【００４４】
この場合には、使用者が受けたいマッサージを自己から決めることができ、集中的にある患部をマッサージしてもらいたいときなど具体的にマッサージコースを使用者が決めている場合には有用である。自動選択、通常選択のどちらにも優先されていない場合には、一方の選択のマッサージから他方の選択のマッサージに移行するようにすることもできるし、一方の選択のマッサージから他方の選択のマッサージに移行しないようにすることもできる。前者のメリットとしては使用者の指示通りにマッサージを行うということであり、後者のメリットとしては頻繁にマッサージコースの変更が行われず円滑にマッサージを受けることができるということである。なお、自動選択、通常選択のどちらであっても、マッサージを実行することなく、使用者は単にマッサージ機に着座して音楽を聞くことができる。
【００４５】
前記リモコン２８には、音楽再生及び自動選択に関するボタンが配置されており、音楽を再生する再生ボタン２８ｂ、音楽を停止する停止ボタン２８ｃ、音楽を早送り若しくは次曲送りする早送りボタン２８ｄ、音楽を巻戻し若しくは前曲戻りする巻戻しボタン２８ｅ、音量を調整するボリュームボタン２８ｆ、自動選択で楽曲指定をするEnterボタン２８ｇ、及び、自動選択により選択されたマッサージコースを実行するStartボタン２８ｈからなる。スピーカ２１ａが背もたれ部２１に内蔵されているが、このリモコン２８の左下隅にもスピーカ２８ｉが内蔵されている。リモコン２８では、図４（ｂ）に示すように再生されている楽曲の番号とマッサージコースとが表示されており、音楽ＣＤに添付される歌詞カードで再生されている楽曲が分かり、この楽曲とマッサージコースとの対応具合を使用者が判断することができる。さらに、実行状態でのリモコン２８の表示画面２８ａの有効利用も果たす。
【００４６】
次に、本実施形態に係るマッサージ機の動作について説明する。使用者は、音楽ＣＤを持ってきてマッサージ機に着座し、その音楽ＣＤをＣＤ−ＲＯＭドライブ１にスロットインする。ＣＤ−ＲＯＭドライブ１はスロットインされたことにより、ヘッダ情報を読み込み、音楽データ読込部２に外部割込を出力する（ステップ１）。音楽データ読込部２は入力されたヘッダ情報をリモコン２８の表示画面２８ａに出力し、使用者の楽曲選択の待ち状態になる（ステップ２）。待ち状態となった音楽データ読込部２は、楽曲が選択されたか否かを判断する（ステップ３）。
【００４７】
このステップ３で楽曲が選択されていないと判断された場合には、ステップ３に戻る。リモコン２８の表示画面２８ａには、図４（ａ）に示すように、総再生時間、総楽曲数、全ての楽曲番号及び「楽曲を選択して、音楽を再生するか、マッサージ自動選択を指定して下さい。」とのメッセージが表示される。使用者は、リモコン２８の表示画面２８ａに表示された楽曲番号を見て、リモコン２８の早送りボタン２８ｄ又は巻戻しボタン２８ｅを用いて楽曲を選択しEnterボタン２８ｇを押下する。前記ステップ３で楽曲が選択されたと判断した場合には、音楽データ読込部２がＣＤ−ＲＯＭドライブ１を介してその楽曲の音楽データを音楽ＣＤ上から読み出し、感性データ生成部３及び音楽データ再生部６に出力する（ステップ４）。
【００４８】
感性データ生成部３は、出力された音楽データに基づき感性データを生成してマッサージ選択部４に出力する（ステップ５）。マッサージコース選択部４が、感性データ生成部３が出力した感性データに基づき本マッサージ機に用意されている複数のマッサージコースからマッサージコースを選択し、感性データ・マッサージコース変換テーブル７を参照してこのデータ構成要素に対応したマッサージコース識別番号を読み出し、マッサージコース実行部５に出力する。（ステップ６）。前記マッサージコース実行部５が、マッサージコース選択部４から出力されたマッサージコース識別番号に対応したマッサージコースデータをマッサージコースデータテーブル８から読み出す（ステップ７）。マッサージコース実行部５は、かかるマッサージコースデータに基づきマッサージを実行すると共に、音楽データ再生部６に指示して音楽データを再生させる（ステップ８）。
【００４９】
このように本実施形態に係るマッサージ機によれば、マッサージコースを複数用意し、選択された曲に基づき当該複数のマッサージコースの中から少なくとも１つのマッサージコースを選択し曲を再生しながら実行するので、使用者が楽曲を選択することで使用者が自らマッサージコースを選択しなくとも楽曲に応じたマッサージコースが迅速に自動的に選択され、マッサージを受けたい疲れた使用者等が思考することなくリラックスした状態でマッサージを受けることができると共に、選択後マッサージコースが自動スタートすることで使用者は楽曲選択で迅速にマッサージを受けることができる。
【００５０】
また、音楽を再生し始めて暫くしてマッサージを実行するので、使用者がマッサージコースの実行前に楽曲の確認ができると共に、マッサージを受ける前に音楽を聞くことにより精神的にリラックスしこのリラックスした状態でマッサージを受けることによりマッサージの効果もよくなる。また、マッサージを実行し始めて暫くして曲を再生するので、速やかにマッサージを受け付随して音楽を聴くことができ、さらに、現在受けているマッサージが気に入らなければ、曲調の異なる楽曲を選択することで他のマッサージコースを選ぶことができる。
【００５１】
また、使用者の要求に応じて選択されたマッサージコースを前記本マッサージ機により選択されたマッサージコースよりも優先して実行するので、使用者が自動選択により実行しているマッサージ中に使用者が通常選択をしたとき通常選択にしたがってマッサージが行われ、使用者が通常選択により実行しているマッサージ中に使用者が自動選択をしてもそのまま通常選択のマッサージが継続して実行されるので、使用者が受けたいマッサージを自己から決めることができ、集中的にある患部をマッサージしてもらいたいときなど具体的にマッサージコースを使用者が想定している場合には有用である。
【００５２】
また、前記本マッサージ機により選択されたマッサージコースを使用者の要求に応じて選択されたマッサージコースよりも優先して実行するので、使用者が通常選択により実行しているマッサージ中に使用者が自動選択をしたとき自動選択に従ってマッサージが行われ、使用者が自動選択により実行しているマッサージ中に使用者が通常選択をしてもそのまま自動選択のマッサージが継続して実行されるので、常時再生される楽曲と実行されるマッサージが同調して高いマッサージ効果を使用者に与えることができる。
【００５３】
なお、本実施形態に係るマッサージ機においては、使用者が楽曲をリモコン２８を用いて指定するだけで、マッサージが実行され音楽が再生されているが、前記ステップ７の前に、マッサージ実行部５が出力されたマッサージコース識別番号に対応するマッサージコース名及び「このマッサージコースでよければ『Start』ボタンを押下して下さい。」とのメッセージをリモコン２８の表示画面２８ａに出力して表示し、使用者に実行するか否かの判断を委ね、使用者がStartボタン２８ｈを押下したと判断した場合にはステップ７に移行することもでき、本マッサージ機が選択したマッサージコースと、使用者が選んだ楽曲に基づきイメージしていたマッサージコースとがかけ離れていた場合に、マッサージコースの実行を中止することができ、想定しないない不快なマッサージを受けることがない。ここで、使用者がStartボタン２８ｈを押下しない場合には待ち状態となるが、所定時間待ってマッサージを開始するようにでき、また、使用者がStartボタン２８ｈ以外のボタンを押下した場合には、選択したマッサージコースをクリアして別の例えば通常選択に切り換えることもできる。
【００５４】
また、本実施形態に係るマッサージ機においては、使用者が楽曲をリモコン２８を用いて指定するだけで、マッサージが実行され音楽が再生されているが、使用者が着座しているか否かがわかるセンサーを備え、ステップ７に移行する前に使用者が着座しているか否かを検出し、着座している場合にのみステップ７に移行することもできる。また、着座していない場合であっても、音楽データのみ再生する若しくはマッサージのみを実行するという動作にすることもできる。
【００５５】
音楽データのみ再生する場合には、マッサージコースが選択され準備ができたのだということを使用者が音楽を聞くことにより認識することができる。マッサージのみ実行する場合には、音楽だけは始めから聞くことができるというメリットを有する。さらに、マッサージを選択する時点での使用者の着座を検出するだけでなく、マッサージが実行され、音楽が再生されている途中で離座する場合にも、かかる離座を検出することで、マッサージを停止したり、音楽を停止したりすることもできる。この場合には、マッサージ機を離座するということはなんらかの用事があってのことだと推定でき、使用者がわざわざリモコン２８を操作して動作を停止する必要がなくなり、再び着座した場合に自動的に途中からのマッサージの実行、音楽の再生をすることもできる。
【００５６】
ただし、数秒以下の離座で、停止をすると使用者が座りなおした程度で、マッサージの実行、音楽の再生が頻繁に停止することが想定されため、使用者にもよるが、数秒以上は停止することもまった方がよい。ここで、使用者が着座しているか否かがわかるセンサーによるとは、臀部に対応する部分に圧力センサーを用いたり、腰部分に赤外線センサーから照射したりすることであり、既に人体検知をするものが他の機器で実現されているためこれらの技術を用いることができる。センサー以外にも例えば、低周波治療器であれば、施療用の組パッドから人体が感じない検出用信号を流して人体を検知を実現している。
【００５７】
また、本実施形態に係るマッサージ機においては、感性データ・マッサージコース変換テーブル７等のテーブルを用いて動作の一部をＲＯＭ１２から情報を読み込むことで実現したが、テーブルを用いず全て各論理的構成要素の動作として実現することができる。テーブル等に別に情報を格納して随時読み出す場合の処理のメリットは、全てロジックを組んで動作を実現する場合と比べ記憶装置等へのアクセス時間がかかるためにスループットとしては好ましくないが、テーブル内の情報を書き変えることで動作をある程度制御することができるという点である。例えば、現在ＲＯＭ１２であるところをＲＡＭにしてマッサージコーステーブル８のマッサージデータを変更することで、異なるマッサージコースを実行することができるようになる。
【００５８】
また、本実施形態に係るマッサージ機においては、マッサージコース選択部４が選択するマッサージコースが１つであったが、複数のマッサージコースを選択し、この楽曲に合った複数のマッサージコースの中から使用者に選択してもらうような構成にすることもでき、使用者の選択する自由度を与えつつ容易な操作でマッサージコースを選択することができる。すなわち、使用者のマッサージコース選択の支援をすることができる。
【００５９】
また、本実施形態に係るマッサージ機においては、感性データ生成部３が楽曲から楽曲の「やすらぎ」、「リフレッシュ」、「しっかり」の値を求めて感性データとし、総じて言い換えれば、楽曲がどのような感じの曲であるかを判断しているが、さらにこのような楽曲を選択する使用者に対してどのようなマッサージコースが適切かを判断するようにしてもよく、こうすることにより例えば明るい楽曲を選択した人が明るいマッサージコースでなく落ち着いたマッサージコースを提供することができる。
【００６０】
このように構成することは、原則的な考えに反するようであるが、現在の感情、この感情に基づき選択した楽曲、この楽曲から選択されるマッサージコースが全て同じであることもある（明るい、明るい楽曲、明るいマッサージコース）が、その時の使用者の感情、考えに依存する部分があり、現在の感情、この感情に基づき選択した楽曲、この楽曲から選択されるマッサージコースが異なる場合もある（落ち込んでいる、激しい曲、落ち着かせるマッサージコース）。
【００６１】
その時々で正反対のマッサージコースを選択した方が適切な場合もあることが分かると思うが、結局のところ、選択された楽曲がどのような感じの曲であるかということはマッサージを選択する上での重要な判断基準となるがこの判断基準が全てでなく、他の判断基準を随時付加してマッサージコースを選択することが望ましい。他の判断基準としては、過去のマッサージコースの選択状況、使用者の心拍数及び血圧、天気、温度、湿度、季節等がある。特に、過去のマッサージコースの選択状況に基づきマッサージコースを選択する場合には、今どの使用者が使用しているかを特定する必要がある。ここで示した考え本実施形態だけでなく、後記の実施形態でも同様に適用することができる。
【００６２】
また、本実施形態に係るマッサージ機においては、予め本マッサージ機に登録している複数のマッサージコースがあるが、この複数のマッサージコースのうち名称を有する名称付マッサージコースと名称を有しない名称無マッサージコースとがあり、自動選択の場合に名称付マッサージコースが選択されたときリモコン２８の表示画面２８ａにかかる名称付マッサージの名称を表示することができ、名称無マッサージコースが選択されたときリモコン２８の表示画面２８ａに「曲に合わせたピッタリコース」等の抽象的な名称の表示をすることができ、全てのマッサージコースに名称が付いている場合には使用者が本マッサージ機に用意されているマッサージコースが有限であると判断するのに比べ、このように名称無マッサージコースが登録され抽象的な名称の表示をすることで使用者がマッサージコースが無限に用意されているのだと判断でき、様々なマッサージコースのマッサージを受けることができる。
【００６３】
実際には、マッサージ機に登録されるマッサージコースは有限であり、同一のマッサージコースを複数回行っているが、1つのマッサージコースは少なくとも何分もマッサージ時間があり、使用者がかかるマッサージコースのマッサージの内容を憶えていることは稀であり、通常、名称が付与されていない限りマッサージコースの同一性の判断することができないという原理を利用しているものである。
【００６４】
さらに、名称付マッサージコースであってもリモコン２８の表示画面２８ａに名称を表示させないことにより、名称無マッサージコースと同様に用いることができる。但し、全てのマッサージコースを常に名称無マッサージコースと同様に用いると、使用者が通常選択する場合に選択することができないという事態が生じるために、例えば本実施形態においては自動選択の場合にマッサージコースの具体的な名称を表示することなく、総じて抽象的なマッサージコースを表示するという構成が好ましい。
【００６５】
（本発明の第２の実施形態）
本発明の第２の実施形態に係るマッサージ機を図に基づき説明する。図１１は本実施形態に係るマッサージ機の特徴的構成要素の構成ブロック図、図１２または図１３は本実施形態に係るマッサージ機のマッサージコースデータの図表、図１４は本実施形態に係るマッサージ機の動作フローチャートである。
【００６６】
本実施形態に係るマッサージ機は、前記第１の実施形態に係るマッサージ機と同様に構成され、マッサージコース選択部に代わり、選択された曲に基づき複数のマッサージを組み合わせてマッサージコースを生成するマッサージコース生成部９を備えることを異にする構成である。
【００６７】
マッサージコース生成部９は、感性データ生成部３から出力された感性データに基づき複数のマッサージを組み合わせてマッサージコースを生成しマッサージコース実行部５に出力する。したがって、マッサージコース生成部９は感性データ・マッサージコース変換テーブル７を使用しないため、図１１中からは削除した。また、マッサージコース生成部９は、マッサージコース選択部と異なり直接マッサージコースデータを出力するため、マッサージコース生成部９がマッサージコースデータを出力する場合にはマッサージコース実行部５はマッサージデータテーブル８を使用しない。
【００６８】
しかし、使用者がリモコン２８を用いて直接マッサージコースを選択した場合にかかるマッサージコースのマッサージを実行できるように、マッサージコースデータテーブル８を残した。通常選択の場合、リモコン２８上のそれぞれのマッサージコースに対応するボタンを押下すると、リモコン２８からＣＰＵ１０に対して外部割込が出力される。外部割込がＣＰＵ１０上のマッサージコース実行部５に入力され、この外部割込がマッサージコース毎に識別でき、これからマッサージコース識別番号に基づきマッサージコースデータテーブル８からマッサージコースデータを読み出し実行する。
【００６９】
前記第１の実施形態に係るマッサージ機においては、感性データ生成部３が使用者が指定した楽曲の全体について一つの感性データを生成したが、感性データ生成部３が、あるサンプリング期間で区切って感性データを生成することとする。特に、本実施形態においては、後記するベースコースの各時間をサンプリング期間とする。ここで、所定期間ごとにサンプリングする方法をとるが、例えば、音楽データの種類によれば小節毎に区切ることも可能であり、この単位で感性データを生成することもできる。また、感性データのデータ構成要素の値の変化毎に感性データを生成することもでき、この場合には、同じ感性データのデータ構成要素が偏って出力されるため、マッサージを選択することが容易になる。具体的には、「やすらぎ」の値のみが大きく、「リフレッシュ」及び「しっかり」の値が小さい感性データを得ることができるため、「やすらぎ」、「リフレッシュ」及び「しっかり」の値が同一である感性データと比べマッサージを選択することが容易ということである。
【００７０】
施療手段をもみ玉５１と制限した場合であっても、マッサージの構成要素としては、もみ玉５１の位置、マッサージの種類（もみ上げ、もみ下げ、たたき、さざなみ、指圧、深もみ上げ、さすり、ストレッチ、全体背筋のばし、部分背筋のばし等）、速さ、強さ及び時間がある。他のマッサージの構成要素がある場合には追加してもよい。本実施形態においては、ベースコースというものが存在し、このベースコースより既に位置、時間が決まっているものとする（図１２参照）。
【００７１】
このようなベースコースを作成するメリットとしては、マッサージコース選択部９の組み合わせ方が少ないので迅速に生成することができるということと、使用に耐えないマッサージコースを確実に生成しないということである。例えば、肩、腰、肩、腰、背中、肩甲骨とマッサージをしていく場合には、肩、腰、肩、腰となっており、メカユニット２５の上下が繰り返し行われ、上下中にマッサージをできなければ、マッサージを受けている時間よりメカユニットの上下動の時間が長くて十分なマッサージを提供することができないと場合も発生する。
【００７２】
ベースコースを設けなくともこのような事態を回避する方法もあり、これは選択されるマッサージの構成要素毎のつながりの相互関係をも考えた設計をしなければならない。すなわマッサージの構成要素の親和性を考えて設計することで実現でき、例えば、たたきの後は使用者の皮膚を刺激しているので同じ患部をマッサージするときは同様に使用者の皮膚を刺激するさざなみは行わず、さすりを行うようにするとかである。また、マッサージコース生成部９が生成したマッサージコースを検査する手段を設けても使用に耐えないマッサージの実行を回避することができる。
【００７３】
ベースコースを用いた場合には、残りのマッサージの構成要素としては、図１２の表の「＊」部分を、すなわち、マッサージの種類、速度、強さをマッサージコース生成部９が決定する。マッサージコース生成部９は、図５（ｃ）ないし（ｅ）に示す感性データ・マッサージ変換テーブル１３を用いてマッサージコースを組み立てていく。図５（ｃ）は各感性データのデータ構成要素とマッサージの種類との関係表であり、数値は優先度を示し小さい数程優先度が高い。図５（ｄ）は感性データと速度との関係表であり、同図（ｅ）は感性データ、強さ及び中心の関係表であり、中心は頻度の高い強さを示す。同図（ｆ）はある楽曲の感性データである。以下、マッサージコース生成手段９がこの同図（ｆ）の感性データに基づき感性データ・マッサージ変換テーブル１３を用いてマッサージコースを組み立てていく過程を説明する。
【００７４】
感性データ生成部３が同図（ｆ）の感性データをマッサージコース生成部９に出力する。マッサージコース生成部９は、最初のサンプリング期間で求めたサンプリング番号１のやすらぎ「４」、リラックス「１」、しっかり「２」から、やすらぎの値が一番高いと判断し、同図（ｃ）のやすらぎの列から優先度の高い「もみ上げ」をマッサージの種類として選択し、同図（ｄ）のやすらぎの行から「２」の速度を選択し、同図（ｅ）のやすらぎの行から「２」の速さを選択して図１２の表のサンプリング番号１の列を埋めた。以下どうように埋めていくことで図１３の表を完成させ、同図の図表に準じたマッサージコースデータをマッサージコース実行部５に出力する。
【００７５】
次に、本実施形態に係るマッサージ機の動作について説明する（図１４参照）。ステップ１ないし４は前記第１の実施形態に係るマッサージ機の動作と同一であるので省略する。感性データ生成部３は、出力された音楽データに基づき感性データをサンプリング期間毎に生成してマッサージ生成部９に出力する（ステップ１１）。マッサージコース生成部９が、感性データ生成部３が出力した感性データに基づき複数のマッサージを組み合わせてマッサージコースを生成する（ステップ１２）。生成したマッサージコースのマッサージコースデータをマッサージコース実行部５に出力する（ステップ１３）。最後に、前記第１の実施形態に係るマッサージ機の動作のステップ８を行う。
【００７６】
このように本実施形態に係るマッサージ機によれば、選択された曲に基づき施療手段を用いて行う複数のマッサージを組み合わせてマッサージコースを生成し曲を再生しながら実行しているので、使用者が楽曲を選択することで使用者が自らマッサージコースを選択しなくとも楽曲に応じたマッサージコースが自動的に生成され、マッサージを受けたい疲れた使用者等が思考することなくリラックスした状態でマッサージを受けることができると共に、より選択した楽曲の細かい変化にも対応したマッサージを使用者に提供することができ、マッサージと音楽とがより同調したサービスを行うことで著しいマッサージ効果を発揮することができる。
【００７７】
なお、本実施形態に係るマッサージ機においては、感性データ生成部３が全ての音楽データを参照してサンプリング期間毎の感性データを全てマッサージコース生成部９に出力してマッサージコース生成部９がこの全ての感性データに対して一連のマッサージコースを生成しているが、感性データ生成部３がサンプリング期間毎に随時感性データをマッサージコース生成部９に出力し、マッサージコース生成部９がサンプリング期間毎の感性データに基づきマッサージコースの一部を生成し、マッサージコース実行部５にマッサージコースデータを出力し、マッサージコース実行部５が音楽データ再生部６の楽曲の再生と共にかかるマッサージコースデータを実行することもできる。
【００７８】
これは、すなわち、選択された曲に基づき施療手段を用いて行う複数のマッサージ中からマッサージを選択して随時実行すると共に曲を再生することとなり、本実施形態に係る効果と同様な効果を発揮すると共に、実行するときまでにマッサージが選択されていればよく、マッサージが開始されるまでにマッサージコース全工程のマッサージが選択していなくてもよいこととなり、マッサージを開始するまでの処理を大幅に低減化することができ、マッサージ開始までの時間を著しく短縮することで迅速にマッサージを提供することができる。これは、音楽はファイルはデータ量は、一般的なテキストデータと比べ著しく大きく、その全てに対して処理するのは時間がかかり過ぎるからであり、特に、マッサージ機に配設するようなＣＰＵ等では現段階では、高価で高パフォーマンスのＣＰＵを特別に使用する場合を除き、スループットで大きな問題が生じる。
【００７９】
（その他の実施形態）
前記各実施形態に係るマッサージ機において、マッサージをしたマッサージコース、再生した楽曲及び実施した時間を記録しておき、使用者の要求に応じて履歴情報として表示し、表示している内容からマッサージコースを選択することもでき、マッサージコースを楽曲に基づき選択・生成する処理を省くことができ、より迅速にマッサージを受けることができる。さらに、同じ曲若しくは同じマッサージコースは合算して表示し、利用頻度の順に並べることもでき、利用頻度が多いということは再び利用する確率が高いため、同様により迅速にマッサージを受けることができる。
【００８０】
また、使用者が楽曲を選択した時点で過去に同一楽曲でマッサージを選択・生成していないかを調べ、同一楽曲でマッサージを選択・生成している場合には過去の選択・生成からマッサージコースを選択・生成することもでき、これによっても迅速に処理することができる。さらには、これらマッサージをしたマッサージコース、再生した楽曲、実施した時間及び利用頻度を使用者毎に管理することができ、複数の人がマッサージ機を使用する場合であっても、迅速に自己の情報だけを取り出せ、選択する時間を短縮する。
【００８１】
また、前記各実施形態に係るマッサージ機において、マッサージをしたマッサージコースを登録することもでき、再び利用する場合に迅速に選択でき、例えば、気にいったマッサージコースを別名として登録することもでき、自分が憶えやすい名称を付けて登録するこもでき、忘れることがない。さらには、そのとき再生した楽曲も示し、かかる楽曲の音楽ＣＤを挿入するように促すこともできる。音楽ＣＤをいれるまでもなく一回再生した音楽データを、別途外部記憶装置を用意して、かかる外部記憶装置に記録し、必要に応じてかかる音楽データを再生できる状態にすることで再び音楽ＣＤを挿入する必要がなくなる。
【００８２】
また、前記各実施形態に係るマッサージ機においては、曲を対象としマッサージコースを選択・生成しているが、映像を対象としマッサージコースを選択・生成してもよく、例えば、再生する映像の中に人がいる場合にはかかる人の顔の変化、映像の中で使用している配色、動くものの速度等をデータ解析して感性データにし、この感性データに基づきマッサージコースを選択・生成することができる。同様に、曲だけ、映像だけでなく、曲と映像から感性データを出力してもよく、感性データの元となる曲、映像などの判断材料が多くなればなるほど感性データの信頼性が向上し、より適切なマッサージコースの選択・生成をすることができる。
【００８３】
また、前記各実施形態に係るマッサージ機において、音楽ＣＤのアルバム名、著作者名、トラック情報が登録されたデータベースであるＣＤＤＢを用いることで、楽曲の名称をリモコン２８の表示画面２８ａに表したり、履歴情報として用いることができる。さらに、前記したように外部記憶装置を用いた場合には、音楽ＣＤのデータをそのままのフォーマットで記録することなく、圧縮したＭＰ３に変換して記録することもできるが、この場合に、アルバム名、著作者名、トラック情報、歌詞、楽譜をもＩＤタグ情報として記録することもできる。特に、歌詞、楽譜は、感性データ生成部３の感性データ生成時に用いることができ、正確な感性データを生成することができる。さらには、感性データ生成部３で感性データを生成することなく、又は、感性データを一判断材料として用い、マッサージコース選択部４で歌詞、楽譜に基づきマッサージコースを選択・生成することもできる。
【００８４】
また、前記各実施形態に係るマッサージ機において、マッサージコース及びマッサージの種類を明示したが、使用者に提示しないマッサージコース及びマッサージの種類を内部的に被覆して用意することもでき、言葉に表現できないがより適切なマッサージコースの選択・生成を行うことができる。このような場合には、リモコン２８の表示画面２８ａにはどのよなマッサージコース及びマッサージの種類かを適切な言葉で表現することはできないが、このように適切な言葉で表示しないことにより使用者が言葉のもつ意味の先入観でマッサージの内容を体感することなくマッサージコースと楽曲が合っていないととり急いで判断することを防止することができる。これは既に言葉が付けられているマッサージコースでも同様なことが言え、意図的にマッサージコース名を表示しないということもできる。
【図面の簡単な説明】
【００８５】
【図１】本発明の第１の実施形態に係るマッサージ機の特徴的構成要素の構成ブロック図である。
【図２】本発明の第１の実施形態に係るマッサージ機の全体外観斜視図である。
【図３】本発明の第１の実施形態に係るマッサージ機の側面図である。
【図４】本発明の第１の実施形態に係るマッサージ機のリモコンの平面図である。
【図５】本発明の第１の実施形態に係るマッサージ機のテーブル態様図である。
【図６】本発明の第１の実施形態に係るマッサージ機のマッサージコースデータの図表である。
【図７】本発明の第１の実施形態に係るマッサージ機のマッサージコースデータの図表である。
【図８】本発明の第１の実施形態に係るマッサージ機のマッサージコースデータの図表である。
【図９】本発明の第１の実施形態に係るマッサージ機の動作開始終了の比較図である。
【図１０】本発明の第１の実施形態に係るマッサージ機の動作フローチャートである。
【図１１】本発明の第２の実施形態に係るマッサージ機の特徴的構成要素の構成ブロック図である。
【図１２】本発明の第２の実施形態に係るマッサージ機のマッサージコースデータの図表である。
【図１３】本発明の第２の実施形態に係るマッサージ機のマッサージコースデータの図表である。
【図１４】本発明の第２の本実施形態に係るマッサージ機の動作フローチャートである。
【符号の説明】
【００８６】
１  ＣＤ−ＲＯＭドライブ
２  音楽データ読込
３  感性データ生成部
４  マッサージコース選択部
５  マッサージコース実行部
６  音楽データ再生部
７  感性データ・マッサージコース変換テーブル
８  マッサージコースデータテーブル
９  マッサージコース生成部
１０  ＣＰＵ
１１  メインメモリ
１２  ＲＯＭ
１３  感性データ・マッサージ変換テーブル
２１  背もたれ部
２１ａ  スピーカ
２２  座部
２３  肘置き
２４  フットレスト
２５  メカユニット
２６  ベース
２７  ガイドレール
２８  リモコン
２８ａ  表示画面
２８ｂ  再生ボタン
２８ｃ  停止ボタン
２８ｄ  早送りボタン
２８ｅ  巻戻しボタン
２８ｆ  ボリュームボタン
２８ｇ  Enterボタン
２８ｈ  Startボタン
２９a  背中用エアセル
２９ｂ  腰用エアセル
２９ｃ  臀部用エアセル
２９ｄ  太腿用エアセル
３０、３０a、３０ｂ、３０ｃ、３０ｄ  脚用エアセル
３１  エアポンプ
３２  制御ボックス
５１  もみ玉
５１ａ  もみ玉支持アーム
５２  傾動部
５２ａ  傾動ラックギア
５３  ベース
５３ａ  傾動ギア
５３ｂ  傾動モータ
５３ｃ  昇降モータ
５３ｄ  ウォーム
５３ｅ  ウォームホイール
５４  昇降軸
５５ａ、５５ｂ、５５ｃ、５５ｄ  ローラ
５６  傾動軸
【図１】
2005130883.tif 000003
【図２】
2005130883.tif 000004
【図３】
2005130883.tif 000005
【図４】
2005130883.tif 000006
【図５】
2005130883.tif 000007
【図６】
2005130883.tif 000008
【図７】
2005130883.tif 000009
【図８】
2005130883.tif 000010
【図９】
2005130883.tif 000011
【図１０】
2005130883.tif 000012
【図１１】
2005130883.tif 000013
【図１２】
2005130883.tif 000014
【図１３】
2005130883.tif 000015
【図１４】
2005130883.tif 000016